(57)【要約】      （修正有）【課題】洗濯運転中に水槽の振動が大きくなることを抑えて、騒音の少ない乾燥洗濯機を提供する。【解決手段】熱交換器３２と除湿用熱交換器３３と送風機３１とを加えた重心の位置であるＧ１は、水槽３の中心軸を通る鉛直線Ｃ．Ｌ．上となるように配される。この状態においては前記各々の装置の重心の大きさとＣ．Ｌ．からそれぞれの重心の位置までの距離の積が左右で等しく、脱水工程などにて生じる重心移動が発生した際にも、その重心の左右方向への移動はＣ．Ｌ．を中心に対して対称であるため、左右いずれか一方への重心の集中が起こることがない。このため、異常振動が発生してもこの振動が不要に大きくならないので、騒音の発生を小さくできる。【選択図】図６
2007075302.tif 000002
【特許請求の範囲】
【請求項１】
外箱と、
上記外箱内に配置された水槽と、
上記水槽内に回転自在に配置され、洗濯物を収容する回転槽と、
上記水槽に取り付けられるとともに、上記水槽内から吸い込んだ空気を除湿および加熱して、この除湿および加熱された空気を上記水槽内へ吹き出すことにより、上記回転槽内の洗濯物を乾燥させる乾燥システムと
を備え、
上記乾燥システムは、その重心が、上記水槽の中心軸に対して略鉛直方向に位置するように配していることを特徴とするドラム式洗濯乾燥機。
【請求項２】
請求項１に記載のドラム式洗濯乾燥機において、
上記乾燥システムは、その重心が、上記水槽の中心軸よりも下方に位置するように配していることを特徴とするドラム式洗濯乾燥機。
【請求項３】
請求項２に記載のドラム式洗濯乾燥機において、
上記乾燥システムは、上記水槽の中心軸を含み、かつ、上記中心軸と直交する水平軸を含む面よりも下側に設けられていることを特徴とするドラム式洗濯乾燥機。
【請求項４】
請求項１から請求項３のいずれか１項に記載のドラム式洗濯乾燥機において、
上記乾燥システムは、乾燥工程時に上記水槽内へ空気を吹き込むファンユニットと、
上記ファンユニットの上流側に設けられ、上記水槽内からの空気を除湿する除湿ユニットと、
上記ファンユニットの下流側に設けられ、上記水槽内へ向かう空気を加熱する加熱ユニットと
を備え、
上記除湿ユニットまたは上記加熱ユニットを流れる空気の流れの方向が上記水槽の中心軸に沿うように構成されるとともに、
上記除湿ユニットは、その重心が、上記水槽の中心軸を含む鉛直な面によって隔てられる一方の空間側に位置するように配され、
上記加熱ユニットは、その重心が、上記一方の空間側とは別の他方の空間側に位置するように配していることを特徴とするドラム式洗濯乾燥機。
【発明の詳細な説明】
【技術分野】
【０００１】
本発明はドラム式洗濯乾燥機に関する。
【背景技術】
【０００２】
従来、洗濯乾燥機としては、ヨーロッパにおいて広く使用されているドラム式洗濯乾燥機がある。このドラム式洗濯乾燥機は、ドラムに内包された洗濯物の汚れを落とす“洗い工程”、洗い工程によって洗濯物が吸い込んだ洗剤等をすすぐ“すすぎ工程”、洗濯物が吸い込んだ洗濯液（水道水や風呂水等の水、または、洗剤等を含むその水）を遠心力にて洗濯物より除去する“脱水工程”、脱水工程の後も洗濯物に含まれる残水を蒸発除去する“乾燥工程”を順次行うことにより、汚れた洗濯物を、すぐに使用できる清浄で乾いた状態にするものである。
【０００３】
上記従来のドラム式洗濯乾燥機は、図７に示すように、外箱１０１と、外箱１０１内に配置された有底円筒状の水槽１０２と、この水槽１０２内に回転自在に配置された有底円筒状のドラム１０３と、このドラム１０３内の洗濯物を乾燥させるための乾燥システム１０４とを備えている。なお、ここで、ドラム式洗濯乾燥機の使用時に使用者が立つ側を“ドラム式洗濯乾燥機の前”、ドラム式洗濯乾燥機の前側より見て右側を“ドラム式洗濯乾燥機の右”と呼称する。
【０００４】
上記乾燥システム１０４は、吸入ダクト１０５と、除湿器１０６と、この除湿器１０６が除湿した空気を吸い込むファンユニット１０７と、このファンユニット１０７が吹き出した空気を加熱する加熱ユニット１０８と、この加熱ユニット１０８が加熱した空気をドラム内へ案内する吐出ダクト１０９とを有している。上記除湿器１０６とファンユニット１０７は上記外箱１０１の右面に、加熱ユニット１０８は外箱１０１の上面に取り付けら
れるとともに、除湿器１０６および加熱ユニット１０８は水槽１０２と吸入ダクト１０５および吐出ダクト１０９を介して弾性的に接続されている。また、上記加熱ユニット１０８は、ヒータケース１１０と、このヒータケース１１０内に配置されたシーズヒータ１１１とを有している。
【０００５】
上記構成のドラム式洗濯乾燥機によれば、乾燥工程時、ファンユニット１０７の作動によって、水槽１０２内の空気が、吸入ダクト１０５、除湿器１０６、ファンユニット１０７、加熱ユニット１０８および吐出ダクト１０９を順次流れる。これにより、水槽１０２内の上記空気は、吸入ダクト１０５より除湿器１０６へと供給されて除湿される。この湿度が下がった空気は、ファンユニット１０７へと吸入された後、加熱ユニット１０８へと吐き出される。加熱ユニット１０８へと吐き出された空気は、ヒータケース１１０内を通過するとともにその内部に配されるシーズヒータ１１１によって加熱されて、高温低湿の空気となる。この高温低湿の空気は、吐出ダクト１０９に案内されてドラム１０３内へ吹き出し、ドラム１０３内の洗濯物の水分を奪って多湿となった後、再び、吸入ダクト１０５、除湿器１０６、ファンユニット１０７および加熱ユニット１０８および吐出ダクト１０９を順次流れる。このような空気の循環によって、洗濯物が乾燥する。上記構成のドラム式洗濯乾燥機は、例えば、特許文献１に示されている。
【０００６】
また、近年では、除湿ユニットまたはファンユニットまたは加熱ユニットと水槽とを接続する吸入ダクトまたは吐出ダクトを介して外箱へ振動が伝播して騒音が発生することを防止するために、除湿ユニットおよびファンユニットおよび加熱ユニットを水槽側に取り付けることが行われている。上記構成のドラム式洗濯乾燥機は、例えば、特許文献２に示されている。
【０００７】
しかしながら、水槽に除湿ユニットおよびファンユニットおよび加熱ユニットを取り付けるにあたり、除湿ユニットとファンユニットと加熱ユニットより構成される重量体の重心が水槽の右側／左側となるように配されると水槽の振動の振れが右側／左側方向に大きくなってしまい、結果として大きな騒音が発生してしまうこととなる。
【特許文献１】特開平９−５６９６７号公報
【特許文献２】特開２００４−１５４４５０号公報
【発明の開示】
【発明が解決しようとする課題】
【０００８】
そこで、本発明の課題は、洗濯運転中の水槽の振動が大きくなることを抑えて、騒音の発生が少ないドラム式洗濯乾燥機を提供することにある。
【課題を解決するための手段】
【０００９】
上記課題を解決するため、本発明の洗濯乾燥機は、外箱と、上記外箱内に配置された水槽と、上記水槽内に回転自在に配置され、洗濯物を収容する回転槽と、上記水槽に取り付けられるとともに、上記水槽内から吸い込んだ空気を除湿および加熱して、この除湿および加熱された空気を上記水槽内へ吹き出すことにより、上記回転槽内の洗濯物を乾燥させる乾燥システムとを備え、上記乾燥システムは、その重心が、上記水槽の中心軸に対して略鉛直方向に位置するように配していることを特徴としている。
【００１０】
上記構成のドラム式洗濯乾燥機によれば、水槽に取り付けられる上記乾燥システムの重心が上記水槽の中心軸に対して略鉛直方向に位置するように配されるから、洗濯運転中に発生する水槽の左右方向の振れのばらつきを抑えることができる。したがって、水槽に発生する異常振動が不要に大きくならないので、騒音の小さいドラム式洗濯機を提供できる。
【００１１】
一実施形態の洗濯乾燥機では、上記乾燥システムの重心を、上記水槽の中心軸よりも下方に位置するように配している。
【００１２】
上記実施形態の洗濯乾燥機によれば、上記乾燥システムの重心を上記水槽の中心軸よりも下方に位置するように配しているから、上記水槽の中心軸まわりの回動振動の際に乾燥システムの重心は水槽の回動を抑えるように作用するので、水槽の振動が大きくなることを防止できる。
【００１３】
一実施形態の洗濯乾燥機では、上記乾燥システムは、上記水槽の中心軸を含み、かつ、上記中心軸と直交する水平軸を含む面よりも下側に設けている。
【００１４】
上記実施形態の洗濯乾燥機によれば、上記乾燥システムを上記水槽の中心軸を含み、かつ、上記中心軸と直交する水平軸を含む面よりも下側に設けているから、乾燥システムを構成する各部の重心も水槽の中心軸よりも下方に存在する。したがって、乾燥システムを構成する各部によって水槽の回動モーメントが大きくなりにくい構成とできる。
【００１５】
一実施形態の洗濯乾燥機では、上記乾燥システムは、乾燥工程時に上記水槽内へ空気を吹き込むファンユニットと、上記ファンユニットの上流側に設けられ、上記水槽内からの空気を除湿する除湿ユニットと、上記ファンユニットの下流側に設けられ、上記水槽内へ向かう空気を加熱する加熱ユニットとを備え、上記除湿ユニットまたは上記加熱ユニットを流れる空気の流れの方向が上記水槽の中心軸に沿うように構成されるとともに、上記除湿ユニットは、その重心が、上記水槽の中心軸を含む鉛直な面によって隔てられる一方の空間側に位置するように配するとともに、上記加熱ユニットは、その重心が、上記一方の空間側とは別の他方の空間側に位置するように配している。
【００１６】
上記実施形態の洗濯乾燥機によれば、乾燥システムの通風経路を不要に折り曲げたり延長することなく、圧力欠損の少ない通風経路を有する乾燥システムとできる。
【発明の効果】
【００１７】
本発明の洗濯乾燥機によれば、乾燥システムの重心を上記乾燥システムを取り付けた水槽の中心軸に対して略鉛直方向に位置するように配しているので、水槽の振動を抑えた静音性の高いドラム式洗濯乾燥機を提供できる。
【発明を実施するための最良の形態】
【００１８】
以下、本発明を図示の実施の形態により詳細に説明する。図１に、本発明の実施の形態ドラム式洗濯乾燥機を斜め上方から見た外観概略図を示す。
【００１９】
上記ドラム式洗濯乾燥機は、前方に開口する外箱開口部１１（図２参照）を有する外箱１を備えている。この外箱１の上部は天板９に覆われており、また、外箱１の下部は底台１３により構成される。そして、外箱開口部１１は、外箱１に図示しないヒンジで回動自在に取り付けられたドア２で開閉されるようになっている。また、外箱１の上部には、洗剤、漂白剤および柔軟剤を収容する洗剤ケース１４と、操作キーや表示部を有する操作部１５とが設けられている。この操作部１５の裏側（外箱１の内部側）には、ドラム式洗濯機の動作を制御する制御回路１６（図２参照）を配置している。
【００２０】
図２に、図１のII−II線から見た概略断面図を示す。
【００２１】
上記ドラム式洗濯乾燥機は、外箱１内に配置され、洗濯液（水道水や風呂水等の水、または、洗剤等を含むその水）を溜める有底筒形状の水槽３と、この水槽３内に回転自在に配置され、洗濯物を収容する有底円筒形状のドラム４と、水槽３の後部に取り付けられ、ドラム４を回転駆動させるモータ５と、通風経路内の空気を除湿および加熱させて洗濯物を乾燥させるための乾燥システム６と、左右対称に配置されて水槽３を弾性支持する２本のダンパ１７とを備えている。なお、上記ドラム４は回転槽の一例である。
【００２２】
上記水槽３は、後部が前部より下がるように中心軸Ｌ１が水平面に対して傾斜している。より詳しくは、水槽３は、中心軸Ｌ１が水平方向に対して５°〜３０°の角度を成すように傾斜している。この水槽３の中心軸Ｌ１は、ドラム４の回転軸に垂直な面で水槽３を切った断面における水槽３の重心位置Ｐ１（図４参照）を通っている。また、水槽３の中心軸Ｌ１はドラム４の回転軸に対して略平行になっている。
【００２３】
また、上記水槽３の前面部には、外箱開口部１１に対向する水槽開口部１８が設けられている。この水槽開口部１８の開口縁と外箱開口部１１の開口縁との間には、ゴムや軟質樹脂等の弾性体から成るパッキン１９によって水密に接続されている。これにより、上記ドア２を閉じると、ドア２がパッキン１９に密着して、水槽３内の液体が外箱開口部１１から水槽３外へ漏れ出るのを防ぐことができる。
【００２４】
また、上記水槽３の上部には、水槽３内に洗濯液を給水するための給水ダクト２０の下端部が接続されている。一方、給水ダクト２０の上端部は洗剤ケース１４の下部に接続されている。また、外箱１の天面の後部には、その天面の前部よりも低い段部９ａが設けられている。この段部９ａには、水道水用給水路４１および風呂水用給水路４２が配されており、それぞれ洗剤ケース１４へと接続されている、。この水道水用給水路４１の途中には給水弁４３を設ける一方、風呂水用給水路４２の途中には風呂水ポンプ４４を設けている。
【００２５】
また、上記水槽３の下部には、水槽３内の洗濯液を排水するための排水口１０が設けられている。この排水口１０は送風機３１の下流側に位置している。また、排水口１０には排水ダクト２１の上端部が接続されている。一方、排水ダクト２１の下端部は、フィルタ装置２２を介して排水ホース２３に接続されている。
【００２６】
上記排水ダクト２１を流れてきた液体はフィルタ装置２２を通過した後、排水ホース２３または循環ホース４６に流入するようになっている。このフィルタ装置２２が排水ダクト２１内を流れて来た洗濯液中の糸屑等の異物を除去するので、異物が排水ホース２３または循環ホース４６に進入するのを防ぐことできる。
【００２７】
上記排水ホース２３には、排水モータ２４によって開閉される排水弁２５が設けられている。この排水弁２５は、排水ダクト２１の洗濯液を排水ホース２３へ流すときには開放し、または、排水ダクト２１の洗濯液を循環ホース４６へ流すときには閉鎖するように制御される。
【００２８】
上記循環ホース４６の上方の端部は、水槽３の前面下部に設けられた循環ノズル４７に接続されている。一方、循環ホース４６の下方の端部は、フィルタ装置２２の後方に配置された循環ポンプ４５に接続されている。
【００２９】
上記循環ポンプ４５は、排水ダクト２１内の洗濯液をフィルタ装置２２を介して吸引すると共に、この吸引した洗濯液を循環ホース４６へ吐出する。このような循環ポンプ４５を作動させることによって、排水口１０から水槽３外に出た洗濯液をフィルタ装置２２を通過させて異物を除去した後、循環ノズル４７より再び水槽３内へ戻すことができる。
【００３０】
上記ドラム４は、その回転軸と同一の軸となる中心軸Ｌ２が水槽３の中心軸Ｌ１に対して外箱１の天板９側に偏心するように配置されている。つまり、ドラム４の中心軸Ｌ２は水槽３の中心軸Ｌ１よりも水槽３の上部側に位置している。言い換えれば、ドラム４の回転軸を含む鉛直面内において、ドラム４の下部と水槽３の下部との間の距離は、ドラム４の上部と水槽３の上部との間の距離よりも大きくなっている。要するに、ドラム４は、水槽３の上部側に位置するように配置されている。より詳しくは、ドラム４は、その回転軸が水平方向に対して５°〜３０°の角度を成すように傾斜して、後部が前部より下がっている。また、ドラム４の中心軸Ｌ２は、ドラム４の回転軸に垂直な面でドラム４を切った断面におけるドラム４の重心位置Ｐ２（図４参照）を通っている。
【００３１】
また、上記ドラム４の前面部には、外箱開口部１１および水槽開口部１８に対向するドラム開口部２６が設けられている。このドラム開口部２６は水槽開口部１８よりも大きな径を有している。
【００３２】
また、上記ドラム４の周壁全域には複数の小孔２７が設けられている。水槽３とドラム４との間の空間と、ドラム４内の空間との間を洗濯液や乾燥空気等がこの小孔２７を介して流通する。なお、図２および図３では、１６個の小孔２７のみ図示し、他の小孔２７の図示を省略している。
【００３３】
上記乾燥システム６は、ファンユニットの一例としての送風機３１、加熱ユニットの一例としての加熱装置３２、除湿ユニットの一例としての除湿用熱交換器３３（図３，図４参照）を有している。この送風機３１、加熱装置３２、除湿用熱交換器３３は、各々、水槽３の中心軸Ｌ１を含み、かつ、この中心軸Ｌ１と直交する水平軸を含む面よりも下側に設けられている。
【００３４】
上記加熱装置３２は、水槽３内の空間の下部に配置されている。より詳しくは、加熱装置３２は、水槽３の内周面とドラム４の外周面との間に配置されて、洗い工程またはすすぎ工程時に水槽３内の洗濯液に浸かる領域に位置している。そして、加熱装置３２は、水槽３の後面下部に取り付けられた送風機３１の下流側に位置している。
【００３５】
上記加熱装置３２は、ドラム４内に供給される温風が流れる送風ダクト３９と、ヒータケース３７と、上記ヒータケース３７に大部分が収容されたシーズヒータ３８とで構成されている。上記送風ダクト３９の前側の端部は、水槽開口部１８の下縁に配されるとともに、水槽開口部１８の下縁と後述するドラム開口部２６の下縁との間に開口する送風口４０が構成されている。
【００３６】
上記ヒータケース３７は、金属製の本体と、その本体を固定する耐熱樹脂製のフレームとで構成され、前側の端部にて送風ダクト３９に連通している。
【００３７】
上記シーズヒータ３８は、乾燥工程においては水槽３内の空気を加熱すると共に、水槽３内の洗濯液に浸かる領域に配置されているため、洗い工程やすすぎ工程においては水槽３内の洗濯液も加熱することができる。
【００３８】
図３に、図１のIII−III線から見た概略断面図を示す。
【００３９】
上記除湿用熱交換器３３は、水槽３内の空間の下部に配置されている。より詳しくは、除湿用熱交換器３３は、水槽３の内周面とドラム４の外周面との間に配置されて、洗い工程またはすすぎ工程時に水槽３内の洗濯液に浸かる領域に位置している。そして、除湿用熱交換器３３は、水槽３の後面下部に取り付けられた送風機３１の上流側に配置されている。
【００４０】
また、上記除湿用熱交換器３３は、開断面状を有する金属製のプレート４９と、このプレート４９の縁部に取り付けられたステンレス製の固定部材５０（図４参照）とを有している。
【００４１】
上記プレート４９の天板９側の表面では、乾燥工程において、冷却ノズル５１から供給された冷却水がプレート４９上を送風機３１側へ向かって流れる。これにより、上記冷却水とプレート４９にて水槽３から送風機３１に吸い込まれる空気を冷却して、その空気が含む水分を効果的に凝縮させる。
【００４２】
上記冷却ノズル５１は、図示しないが、水道水用給水路４１の給水弁４３よりも上流側に接続されるとともに、給水弁４３とは別に設けられた図示しない給水弁によって上記プレート４９上への冷却水の供給が制御される。
【００４３】
上記送風機３１は、水槽３の外部後方に配置されている。より詳しくは、送風機３１は、水槽３の背面下部に直結されて、洗い工程またはすすぎ工程時に水槽３内の洗濯液に浸かる領域に配置されている。
【００４４】
図４に、図３のIV−IV線から見た概略断面図を示す。
【００４５】
上記水槽開口部１８の中心Ｃ１はドラム開口部２６の中心Ｃ２よりも外箱１の天面側にある。つまり、水槽開口部１８はドラム開口部２６に対して外箱１の天面側に偏心している。
【００４６】
ヒータケース３７およびシーズヒータ３８を内包する送風ダクト３９は、プレート４９に隣接するように配置している。また、この送風ダクト３９とプレート４９とは水槽の中心軸Ｌ１と平行に配されている。つまり、送風ダクト３９とプレート４９とは平行となるように配されている。
【００４７】
図５に、上記送風機３１の概略断面図を示す。
【００４８】
上記送風機３１は、ファンケース３４と、このファンケース３４内に回転可能に配置された送風ファン３５と、この送風ファン３５を回転駆動するファンモータ３６と、一方の端部が送風ファン３５に連結されていると共に、他方の端部がファンモータ３６に連結されたシャフト５２と、このシャフト５２をシールするシール受け部５３とを有している。
【００４９】
上記ファンケース３４は、水槽３からの空気の入口である吸入口５７と、水槽３内への空気の出口である吐出口５８（図２および図４参照）とを有している。ファンケース３４は、吸入口５７および吐出口５８が水槽３に直結しており、ファンケース３４内の空間と水槽３内の空間とが連通している（図２および図３参照）。これにより、洗い工程時またはすすぎ工程時に水槽３内に供給される洗濯液はファンケース３４内に流入する。
【００５０】
上記送風ファン３５は、洗い工程時またはすすぎ工程時にファンケース３４内に流入する洗濯液に浸かるように配置されている。また、送風ファン３５は洗い工程時またはすすぎ工程時に回転するように制御される。
【００５１】
上記シャフト５２は、ファンモータ３６の回転駆動力を受けて送風ファン３５と共に回転する。また、シャフト５２の一方の端部は、洗い工程時またはすすぎ工程時にファンケース３４内に流入する洗濯液に浸かるように配置されている。
【００５２】
上記構成のドラム式洗濯乾燥機によれば、乾燥工程において、シーズヒータ３８で加熱された空気が送風ダクト３９を通って送風口４０からドラム４内へ吹き出る（図２の矢印Ｂ１）。これにより、上記空気がドラム４内の洗濯物に当たり、洗濯物の水分が蒸発する。この水分を含んだ空気は、小孔２７からドラム４外周と水槽３内周との間へと流れ、除湿用熱交換器３３のプレート４９に沿って流れる（図３の矢印Ｂ２）。このとき、上記水分を含んだ空気は、プレート４９の表面上を流れる冷却ノズル５１より供給された冷却水によって冷却され、さらには、その冷却水で冷えたプレート４９によっても冷却される。これにより、プレート４９に沿って流れる空気の水分が効果的に凝縮する。つまり、上記空気が十分に除湿されて低湿となる。この低湿となった空気は、送風ファン３５の回転によってファンケース３４内へ吸い込まれた後（図３の矢印Ｂ３）、送風ダクト３９に送られ（図４の矢印Ｂ４）、この内部のシーズヒータ３８で加熱されて（図２の矢印Ｂ５）、ドラム４内へ戻る。この空気の循環が繰り返されて乾燥工程が進行する。
【００５３】
図６に、本実施の形態に係るドラム式洗濯乾燥機を後方より見た水槽３の概略図を示す。なお、この図に示すＣ．Ｌ．は、水槽３の中心軸Ｌ１を通る鉛直軸を示している。すなわち、図６においてＣ．Ｌ．上にある点は、水槽３の中心軸Ｌ１に対して鉛直方向にあることを示すものである。また、図６に示すＰ３は、水槽３の中心軸Ｌ１の図６の概略図上の通過点を示している。
【００５４】
上記水槽３は、後方より見て水槽３の中心軸Ｌ１に対して鉛直方向であることを示すＣ．Ｌ．に対して、送風機３１と除湿用熱交換器３３は右側に、加熱装置３２は左側に配されている。ここで、加熱装置３２の重心の位置およびその大きさをｇ１、除湿用熱交換機３３の重心の位置およびその大きさをｇ２、送風機３１の重心の位置およびその大きさをｇ３とする。また、除湿用熱交換器３３と送風機３１とを加えた重心の位置およびその大きさをＧ２、熱交換器３２と除湿用熱交換器３３と送風機３１とを加えた重心の位置およびその大きさをＧ１する。また、Ｃ．Ｌ．から重心の位置ｇ１までの水平距離をｄ１、Ｃ．Ｌ．から重心の位置ｇ２までの水平距離をｄ２、Ｃ．Ｌ．から重心の位置ｇ３までの水平距離をｄ３、Ｃ．Ｌ．から重心の位置Ｇ２までの水平距離をＤ２として、それぞれ図６に示す。
【００５５】
上記ドラム式洗濯乾燥機においては、熱交換器３２と除湿用熱交換器３３と送風機３１とを加えた重心の位置であるＧ１は、上記Ｃ．Ｌ．上となるように配されている。この状態においてはそれぞれの重心の大きさとＣ．Ｌ．からそれぞれの重心の位置までの距離の積が左右で等しいことを示している。すなわち、ｇ１とｄ１との積の値が、ｇ２とｄ２との積にｇ３とｄ３との積を加えた値（重心Ｇ２とＬ２との積に等しい）と、等しいことを意味する。この状態では、脱水工程などにて生じる重心移動が発生した際にも、その重心の左右方向への移動はＣ．Ｌ．を中心に対して対称であるため、左右いずれか一方への重心の集中が起こることがない。このため、異常振動が発生してもこの振動が不要に大きくならないので、騒音の発生を小さくできる。
【００５６】
また、重心の位置Ｇ１は、図６に示すように、水槽３の中心軸Ｌ１の図６の概略図上の通過点であるＰ３よりも下方となるように配されている。水槽３は左右方向や前後方向の直線方向の振動だけでなく水槽３の中心軸Ｌ１周りの回動振動なども発生する。この水槽３の中心軸Ｌ１周りの回動振動が発生すると、重心の位置Ｇ１はＣ．Ｌ．に対して水平方向の成分を有することとなり、この際、重心の位置Ｇ１は、上記の中心軸Ｌ１周りの回動振動とは逆方向の回動モーメントが発生させる。この回転モーメントは、中心軸Ｌ１周りの回動振動を減衰するように作用する。このため、水槽３の中心軸Ｌ１周りの回動振動を抑えることができる。
【００５７】
また、乾燥システム６を構成する加熱装置３２、送風機３１および除湿用熱交換器３３の各部の重心の位置ｇ１、ｇ２およびｇ３は、図６に示すように、点Ｐ３よりも下方に存在する。つまり、上記乾燥システム６は、上記水槽の中心軸Ｌ１を含み、かつ、上記中心軸と直交する水平軸を含む面よりも下側に設けられている。上記したように水槽３の中心軸Ｌ１周りの回動振動に対してはその中心軸Ｌ１よりもある部材の重心が下方に存在することにより、その部材は上記水槽３の回動振動を低減させるように作用するので、乾燥システム６を構成する加熱装置３２、送風機３１および除湿用熱交換器３３の各部ともに前記水槽３の中心軸Ｌ１周りの回動振動を低減に寄与させることができる。
【００５８】
また、本実施の形態のドラム式洗濯乾燥機では、図６において、上記加熱装置３２および上記除湿用熱交換器３３を流れる空気の流れの方向が上記水槽３の中心軸Ｌ１に沿うように構成されており、加熱装置３２はＣ．Ｌ．の左側、除湿用熱交換器３３はＣ．Ｌ．の右側となるように配置されている。すなわち、除湿用熱交換器３３の重心が上記水槽３の中心軸Ｌ１を含む鉛直な面によって隔てられる一方の空間側に位置するように、加熱装置３２の重心が上記一方の空間側とは別の他方の空間側に位置するように配されている。加熱装置３２または除湿用熱交換器３３を流れる空気の流れの方向が水槽３の中心軸に沿うように構成するとともに、加熱装置３２と除湿用熱交換器３３とをＣ．Ｌ．の右側または左側の一方に偏在させると、除湿用熱交換器３３の下流且つ加熱装置３２の上流に配される送風機３１を、Ｃ．Ｌ．に対して除湿用熱交換器３３および加熱装置３２の反対側に配置する必要があり、このようにすると、通風経路の折れ曲がりを少なくとも２箇所増やす必要を生じるとともに、送風機３１から加熱装置３２または除湿用熱交換器３３までの間の通風経路が余分に必要となるため、乾燥システム６の通風経路の圧力欠損が大きくなってしまう。本実施の形態の構成によれば、乾燥システム６の通風経路に余分な折れ曲がりを設けたり、乾燥システム６の通風経路を不必要に延長することを防止して、圧力欠損の少ない乾燥システム６の通風経路を構成できる。
【００５９】
本発明は、ドラム式洗濯乾燥機のみならず、縦型の洗濯乾燥機にも用いることができる。
【００６０】
また、上述した内容を適宜組み合わせて本発明とすることができるのは言うまでもない。
【産業上の利用可能性】
【００６１】
本発明は、ドラム式洗濯乾燥機に適用可能である。
【図面の簡単な説明】
【００６２】
【図１】図１は本発明の実施の形態に係るドラム式洗濯乾燥機の概略外観斜視図である。
【図２】図２は図１のII−II線矢視断面図である。
【図３】図３は図１のIII−III線矢視断面図である。
【図４】図４は図３のIV−IV線矢視断面図である。
【図５】図５は上記ドラム式洗濯乾燥機の送風機の概略断面図である。
【図６】図６は上記ドラム式洗濯乾燥機の後方より見た水槽の概略断面図である。
【図７】図７は従来のドラム式洗濯乾燥機の概略斜視図である。
【符号の説明】
【００６３】
１  外箱
３  水槽
４  ドラム
６  乾燥システム
３１  送風機
３２  加熱装置
３３  除湿用熱交換器
３４  ファンケース
３５  送風ファン
３６  ファンモータ
３７  ヒータケース
３８  シーズヒータ
３９  送風ダクト
４０  送風口
４９  （除湿用熱交換）プレート
５０  固定部材
５２  シャフト
５３  シール受け部
Ｌ１  水槽の中心軸
【図１】
2007075302.tif 000003
【図２】
2007075302.tif 000004
【図３】
2007075302.tif 000005
【図４】
2007075302.tif 000006
【図５】
2007075302.tif 000007
【図６】
2007075302.tif 000008
【図７】
2007075302.tif 000009